(57)【要約】【課題】在席者の環境条件の変更要望に応えつつ、極端・無駄な環境条件変更を抑制し得る環境条件制御装置、環境条件制御方法、及び環境条件制御システムを提供する。【解決手段】所定の室内空間における環境条件を、環境条件を検知する検知部を備えた複数の環境条件調整手段により、在席者の要求にしたがって制御するものであり、在席者の環境条件変更要求を位置情報とともに受け付ける要求受付工程Ｓ１と、前記位置情報に対応する環境条件調整手段を選択する調整手段選択工程Ｓ２と、選択された前記環境条件調整手段の検知部が検知した現状の環境条件を取得する現状条件取得工程Ｓ４と、前記現状の環境条件に対して、前記環境条件変更要求に応じた所定幅の環境条件変更を、選択された前記環境条件調整手段により行うように制御する環境条件制御工程Ｓ６，Ｓ９と、を有する環境条件制御方法、当該方法を用いた環境条件制御装置及び環境条件制御システムである。【選択図】図７
2019207050.tif 000002
【特許請求の範囲】
【請求項１】
所定の室内空間における環境条件を、当該室内に設置された複数の環境条件調整手段により、在席者の要求にしたがって制御する環境条件制御装置であって、
在席者の環境条件変更要求を位置情報とともに受け付ける要求受付部と、
前記要求受付部が受け付けた前記位置情報に対応する１または２以上の環境条件調整手段を選択する調整手段選択部と、
選択された前記環境条件調整手段の設置位置に対応した領域の現状の環境条件を取得する現状条件取得部と、
前記現状条件取得部が取得した現状の環境条件に対して、前記要求受付部が受け付けた環境条件変更要求に応じた所定幅の環境条件変更を、選択された前記環境条件調整手段により行うように制御する環境条件制御部と、
を備えたことを特徴とする環境条件制御装置。
【請求項２】
前記環境条件が温度であり、前記環境条件調整手段が空調機であり、前記環境条件変更要求が、温度上昇または温度低下であることを特徴とする請求項１に記載の環境条件制御装置。
【請求項３】
前記環境条件が明るさであり、前記環境条件調整手段が照明器具であり、前記環境条件変更要求が、明るさ上昇または明るさ低下であることを特徴とする請求項１に記載の環境条件制御装置。
【請求項４】
前記要求受付部が複数の環境条件変更要求を受け付けた際、同時に受け付けた位置情報に応じて前記調整手段選択部が選択した環境条件調整手段が重複する場合には、当該環境条件調整手段を、最先に受け付けた環境条件変更要求に応じて前記環境条件制御部が制御することを特徴とする請求項１〜３のいずれかに記載の環境条件制御装置。
【請求項５】
前記要求受付部が、前記在席者それぞれの端末装置からの位置情報及び環境条件変更要求の信号を受け付け、かつ、
前記要求受付部が所定時間内に受け付けた全ての環境条件変更要求の情報を、それぞれの位置情報とともに、全ての前記端末装置に送信する要求情報送信部を備えることを特徴とする請求項１〜４のいずれかに記載の環境条件制御装置。
【請求項６】
前記現状条件取得部が、所定の時間内に前記検知部が検知した環境条件の平均を、現状の環境条件として取得することを特徴とする請求項１〜５のいずれかに記載の環境条件制御装置。
【請求項７】
所定の室内空間における環境条件を、当該室内に設置され、設置位置に対応した環境条件を検知する検知部を備えた複数の環境条件調整手段により、在席者の要求にしたがって制御する環境条件制御方法であって、
在席者の環境条件変更要求を位置情報とともに受け付ける要求受付工程と、
受け付けた前記位置情報に対応する１または２以上の環境条件調整手段を選択する調整手段選択工程と、
選択された前記環境条件調整手段の検知部が検知した現状の環境条件を取得する現状条件取得工程と、
前記現状の環境条件に対して、前記環境条件変更要求に応じた所定幅の環境条件変更を、選択された前記環境条件調整手段により行うように制御する環境条件制御工程と、
を有することを特徴とする環境条件制御方法。
【請求項８】
所定の室内に設置され、設置位置に対応した環境条件を検知する検知部を備えた複数の環境条件調整手段と、
在席者が自らの環境条件変更要求を入力し、これを位置情報とともに情報信号として生成し送信する端末装置と、
前記端末装置からの情報信号を受信する受信装置と、
前記受信装置が受信した情報信号から前記環境条件変更要求及び前記位置情報を受け付ける要求受付部、該要求受付部が受け付けた前記位置情報に対応する環境条件調整手段を選択する調整手段選択部、選択された前記環境条件調整手段の検知部が検知した現状の環境条件を取得する現状条件取得部、及び、前記現状条件取得部が取得した現状の環境条件に対して、前記要求受付部が受け付けた環境条件変更要求に応じた所定幅の環境条件変更を、選択された前記環境条件調整手段により行うように制御する環境条件制御部、を備えた環境条件制御装置と、
を含むことを特徴とする環境条件制御システム。
【請求項９】
前記端末装置が、前記室内の見取り図を、前記環境条件調整手段の配置とともに表示する前記ディスプレイを備え、当該ディスプレイに表示された見取り図に対して、在席者が直接、前記位置情報を入力できるように構成されていることを特徴とする請求項８に記載の環境条件制御システム。
【請求項１０】
前記端末装置が、前記ディスプレイに表示された見取り図に、前記要求受付部が所定時間内に受け付けた全ての環境条件変更要求の情報を、それぞれの位置情報とともに表示することを特徴とする請求項９に記載の環境条件制御システム。
【発明の詳細な説明】
【技術分野】
【０００１】
本発明は、室内の温度や明るさなどの環境条件を制御する環境条件制御装置、環境条件制御方法及び環境条件制御システムに関する。
【背景技術】
【０００２】
オフィスビル等の室内においては、温度や明るさなどの環境条件を在席者に快適なものとするために、エアコン（空調機）や照明器具といった環境条件調整手段が複数設けられて、室内を分割した区画（調整区画）ごとに調整できるようになっている。在席者は、自らの在席位置に応じた環境条件調整手段の設定を適宜調整することで、自分にとって快適な環境になるように調整していた。
【０００３】
環境条件としての温度（室温）を例に挙げて説明する。在席者は、暑いと感じれば、最寄りのエアコンの設定温度を見て、それよりも低い温度に設定し直すことで室内の、特に自身周辺の温度を下げることで快適な温度環境にする。また、各在席者が、例えばスマートフォンやタブレット、あるいは机上のパソコン等の端末から自由に温度設定を上げ下げできるようにすることが一部で行われている。しかし、その者以外の在席者にとって、当該温度環境が快適とは限らず、寒く感じる場合がある。個々人の感覚差以外にも、エアコンからの距離や風向、家具やパーティーションの配置等により場所によって温度のばらつきが生じ、他の在席者が寒く感じる場合がある。このように、温度環境の調整の場において、在席者間でトラブルになることがあることが知られている。
【０００４】
さらに、設定温度を各人が自由に設定できてしまうため、極端な（低過ぎる、あるいは高過ぎる）温度が設定されることがあり、エネルギー的に無駄な運転（冷やし過ぎ、暖め過ぎ、周辺領域への悪影響等）となることがあった。
【０００５】
また、温度に不満を持つ在席者が、それぞれの端末から「暑い」「寒い」といった申告をできるようにし、その申告内容が一時的要望か否かの確信度を求め、その確信度を空調温度の制御に反映させる技術が特許文献１に開示されている。当該文献に記載の技術によれば、極端な温度設定を回避できるため、省エネルギーの目的はある程度達せられる。
【０００６】
しかし、特許文献１に記載の技術では、設定温度のみに着目し、これを変更するように制御しているため、該当箇所の設定温度と実際の環境温度とが等しくない場合、在席者の不満の解消には繋がらない虞があった。
なお、以上は、環境条件としての温度を例に挙げて説明したが、明るさ等他の環境条件においても同様の問題があった。
【先行技術文献】
【特許文献】
【０００７】
【特許文献１】特開２０１７−２１９２５９号公報
【非特許文献】
【０００８】
【非特許文献１】岡幸彦著、「ＢＥＭＳにおけるIoＴ技術（クラウド等）の活用事例の紹介」、ＢＥ建築設備、建築設備綜合協会、２０１６年９月号、ｐ．１４−１９
【発明の概要】
【発明が解決しようとする課題】
【０００９】
そこで、本発明は、以上の背景に鑑みてなされたものであり、在席者に現在の室内環境条件を視覚化しつつ、在席者からの環境条件の変更要望に適切に応えながらも、極端なあるいは無駄な環境条件変更を抑制し得る環境条件制御装置、環境条件制御方法  及び環境条件制御システムを提供することを目的とする。
【課題を解決するための手段】
【００１０】
上記課題は、以下の本発明により解決される。即ち、本発明の環境条件制御装置は、所定の室内空間における環境条件を、当該室内に設置された複数の環境条件調整手段により、在席者の要求にしたがって制御する環境条件制御装置であって、
在席者の環境条件変更要求を位置情報とともに受け付ける要求受付部と、
前記要求受付部が受け付けた前記位置情報に対応する１または２以上の環境条件調整手段を選択する調整手段選択部と、
選択された前記環境条件調整手段の設置位置に対応した領域の現状の環境条件を取得する現状条件取得部と、
前記現状条件取得部が取得した現状の環境条件に対して、前記要求受付部が受け付けた環境条件変更要求に応じた所定幅の環境条件変更を、選択された前記環境条件調整手段により行うように制御する環境条件制御部と、
を備えたことを特徴とする。
【００１１】
このとき、前記環境条件が温度であり、前記環境条件調整手段が空調機であり、前記環境条件変更要求が、温度上昇または温度低下とすることを例示することができる。また、前記環境条件が明るさであり、前記環境条件調整手段が照明器具であり、前記環境条件変更要求が、明るさ上昇または明るさ低下とすることも例示することができる。
【００１２】
本発明の環境条件制御装置としては、前記要求受付部が複数の環境条件変更要求を受け付けた際、同時に受け付けた位置情報に応じて前記調整手段選択部が選択した環境条件調整手段が重複する場合には、当該環境条件調整手段を、最先に受け付けた環境条件変更要求に応じて前記環境条件制御部が制御することができる。
【００１３】
このとき、前記環境条件変更要求の内、最先以外の環境条件変更要求については待機状態とし、
前記環境条件制御部が、最先に受け付けた環境条件変更要求に応じた制御を完了した後に、または、最大限度時間行った後に、受け付けた時間順に順次、待機状態にあった前記環境条件変更要求に応じた制御をそれぞれの変更要求が満たされるまで、またはそれぞれ最大限度時間、行うことができる。
【００１４】
本発明の環境条件制御装置においては、前記要求受付部が、前記在席者それぞれの端末装置からの位置情報及び環境条件変更要求の信号を受け付けるものとすることができる。このとき、前記要求受付部が所定時間内に受け付けた全ての環境条件変更要求の情報を、それぞれの位置情報とともに、全ての前記端末装置に送信する要求情報送信部を備えることができる。
【００１５】
本発明の環境条件制御装置においては、前記現状条件取得部が、前記領域の所定の時間内における環境条件の平均を、現状の環境条件として取得することが好ましい。
【００１６】
また、本発明の環境条件制御方法は、所定の室内空間における環境条件を、当該室内に設置された複数の環境条件調整手段により、在席者の要求にしたがって制御する環境条件制御方法であって、
在席者の環境条件変更要求を位置情報とともに受け付ける要求受付工程と、
受け付けた前記位置情報に対応する１または２以上の環境条件調整手段を選択する調整手段選択工程と、
選択された前記環境条件調整手段の設置位置に対応した領域の現状の環境条件を取得する現状条件取得工程と、
前記現状の環境条件に対して、前記環境条件変更要求に応じた所定幅の環境条件変更を、選択された前記環境条件調整手段により行うように制御する環境条件制御工程と、
を有することを特徴とする。
【００１７】
一方、本発明の環境条件制御システムは、所定の室内に設置された複数の環境条件調整手段と、
複数の前記環境条件調整手段にそれぞれ対応した領域の環境条件を検知する複数の検知手段と、
在席者が自らの環境条件変更要求を入力し、これを位置情報とともに情報信号として生成し送信する端末装置と、
前記端末装置からの情報信号を受信する受信装置と、
前記受信装置が受信した情報信号から前記環境条件変更要求及び前記位置情報を受け付ける要求受付部、該要求受付部が受け付けた前記位置情報に対応する環境条件調整手段を選択する調整手段選択部、選択された前記環境条件調整手段に対応した領域の環境条件を検知する検知手段が検知した現状の環境条件を取得する現状条件取得部、及び、前記現状条件取得部が取得した現状の環境条件に対して、前記要求受付部が受け付けた環境条件変更要求に応じた所定幅の環境条件変更を、選択された前記環境条件調整手段により行うように制御する環境条件制御部、を備えた環境条件制御装置と、
を含むことを特徴とする。
【００１８】
本発明の環境条件制御システムにおいては、前記端末装置がディスプレイを備え、前記室内の見取り図を、前記環境条件調整手段の配置とともに前記ディスプレイに表示することができる。
【００１９】
このとき、前記端末装置が、前記ディスプレイに表示された見取り図に対して、在席者が直接、前記位置情報を入力できるように構成されていてもよい。
【００２０】
あるいは、前記端末装置が、前記ディスプレイに表示された見取り図に自らが存在する位置が表示されるように構成されていてもよい。
【００２１】
本発明の環境条件制御システムにおいては、前記ディスプレイに表示された見取り図に、前記要求受付部が所定時間内に受け付けた全ての環境条件変更要求の情報を、それぞれの位置情報とともに表示するように構成することが好ましい。
【発明の効果】
【００２２】
本発明によれば、在席者に現在の室内環境条件を視覚化しつつ、在席者からの環境条件の変更要望に適切に応えながらも、極端なあるいは無駄な環境条件変更を抑制し得る環境条件制御装置、環境条件制御方法  及び環境条件制御システムを提供することができる。
【図面の簡単な説明】
【００２３】
【図１】ビル管理システムの一例を示すシステム構成概念図である。
【図２】第１の実施形態の温度制御システム（環境条件制御システム）において、在席者が使用する端末装置のディスプレイに表示される表示画面であり、在席者が温度変更要求の作業をする前の状態の表示画面の一例である。
【図３】図２の状態から、在席者が申告する位置を確定した後のディスプレイの表示画面である。
【図４】（ａ）は、図３中の要求選択画面を拡大した表示画面であり、（ｂ）は、当該要求選択画面で要求を選択した後に表示される確認画面を拡大した表示画面である。
【図５】図３の状態から、温度変更要求の内容を確定した後のディスプレイの表示画面である。
【図６】第１の実施形態の温度制御システムの全体構成図である。
【図７】図６に示す温度制御システム中の温度制御装置内で行われる処理のフロー図である。
【図８】第２の実施形態の照度制御システム（環境条件制御システム）において、在席者が使用する端末装置のディスプレイに表示される表示画面であり、在席者が照度変更要求の作業をする前の状態の表示画面の一例である。
【図９】図８の状態から、在席者が申告する位置を確定した後のディスプレイの表示画面である。
【図１０】図９の状態から、照度変更要求の内容を確定した後のディスプレイの表示画面である。
【図１１】第２の実施形態の照度制御システムの全体構成図である。
【図１２】図１１に示す照度制御システム中の照度制御装置内で行われる処理のフロー図である。
【発明を実施するための形態】
【００２４】
以下、本発明を好ましい実施形態を挙げて説明する。
図１は、建物（ビル）の環境を集中管理するビル管理システム（ＢＭＳ＝Building Management System）の一例を示すシステム構成概念図である。ＢＭＳは、建物の運用面での配慮を目指すべく、建物の機器・設備等の運転管理によって省エネルギーや利便性向上を実現しようとするシステムである。
【００２５】
図１に示すように、建物の利用者は、タブレット、スマートフォン、パーソナルコンピュータ（以下、「ＰＣ」と略す。）等の端末装置１０から各種情報を申告情報として、クラウドサーバ群にあるテナント申告サーバ１１に申告すると、インターネット網を通じて建物内サーバ群の最適制御サーバ１８に申告情報が送られる。クラウドサーバ群は、テナント申告サーバ１１及びクラウドデータサーバ１２から構成され、ルータ１３を介してインターネット網に接続されている。
【００２６】
一方、建物内サーバ群は、ローカルデータサーバ１６、ＢＡＣｎｅｔゲートウェイ１７及び最適制御サーバ１８から構成され、ルータ１４を介してインターネット網に接続されている。建物内サーバ群においては、建物内に設置された各種センサ類からの情報を受け取り、ローカルデータサーバ１６に格納された情報を参照しつつ、最適制御サーバ１８でコントローラ１９〜２１を介して各種設備（照明器具２５、エアコン２６及びその他の各種設備２４）を制御している。
【００２７】
下記説明する第１の実施形態及び第２の実施形態は、図１に示すＢＭＳの１つのシステムとして適用した例である。即ち、第１の実施形態はエアコン（空調）２６を、第２の実施形態は照明器具２５を、それぞれ制御する装置（システム）に関する例である。以下、各実施形態について説明する。
【００２８】
［第１の実施形態］
図２は、第１の実施形態の温度制御システム（環境条件制御システム）において、在席者が使用する端末装置１０のディスプレイに表示される表示画面であり、在席者が温度変更要求の作業をする前の状態の表示画面の一例である。当該表示画面は、在席者が在席する居室の見取り図となっており、天井に埋め込まれたエアコン（空調機。環境条件調整手段の一種。）２６の位置がわかるようになっている。なお、本発明乃至本明細書において、単に「空調機」あるいは「エアコン」というときは、室外機ではなく室内機を意味する。
【００２９】
各エアコン２６の周りには、そのエアコン２６による調整区画の主要領域に色彩を付し、その色彩の相違により、当該エアコン２６周辺の温度状況が視覚的にすぐ把握できるようになっている。図面中では白黒表示となっているが、実際には、エアコン２６が備える温度センサ（検知手段）４２の値が高いとき（例えば２６℃以上）には暖色系（赤等）の、低いとき（例えば２２℃以下）には寒色系（青等）の、その間の温度領域では中間色系（黄、橙等）の、それぞれ色彩表示になるようになっている。
【００３０】
エアコン２６が備える温度センサの実際の値は、色彩が付された領域の上方に表示されている。下方には、エアコン２６の風量が強中弱の三段階で表示されている。なお、当該エアコン２６の設定温度は表示されないようになっている。温度センサ４２は、エアコン２６の平面視中央にある空気吸込み口に備えられており、エアコン直下の領域（エアコンの設置位置に対応した領域）の温度と略同じ温度が検知される。
【００３１】
温度センサ４２としては、エアコン２６に内蔵されたものでなくても、エアコン２６の設置位置に対応した領域の温度を計測できるものであれば、例えば、天井や壁などに、独立して設置されたものであってもよい。つまり、個々のエアコン２６には、その設置位置に対応した領域の温度を計測できる温度センサ４２が紐付けられている。以下の説明において、個々のエアコンに紐付けられた温度センサを「対応する温度センサ」と称することにする。また、「エアコンの設置位置に対応した領域」とは、そのエアコンによる温度影響が強く及ぶ領域の中心及びその近傍を指すものとする。
【００３２】
在席者が暑く感じて、その在席者が温度変更要求をする場面について説明する。
【００３３】
位置変更のボタン４１をタップ（タブレット端末、スマートフォン）またはクリック（ＰＣ等）（以下、前者を意識して、単に「タップ」と表現するが、勿論、ディスプレイをタップできないＰＣ等の場合には「クリック」と読み替えるものとする。）した後、温度変更要求の申告をしたい位置をタップすると、ディスプレイに確認画面が現れるので（不図示）、同意のタップをして位置を確定し、次の手順へと進む。図３において、申告する位置は二重丸Ａで示されている。
【００３４】
図３に示す申告位置Ａをタップすると、表示画面には、要求選択画面２８が表示される。図４（ａ）は、要求選択画面２８を拡大したものである。要求選択画面２８には、「暑い」「寒い」「申告取消」「戻る」の各ボタンが表示されている。そこで在席者は、「暑い」のボタンをタップして、温度を下げる要求を選択する。すると、要求選択画面２８が消えて、代わりに図４(ｂ）に示す確認画面が表示される。さらに在席者は、「はい」のボタンを選択して、温度変更要求の内容を確定し、作業を終了する。端末装置１０は、温度を下げる要求を温度変更要求として、確定した申告位置Ａの位置情報とともに申告情報とし、これを情報信号として生成する。
【００３５】
図５は、温度変更要求の内容を確定した後のディスプレイの表示画面である。二重丸で示されていた申告位置Ａに「暑」の二重丸付文字が表示され、温度低下の制御に移ったことがわかるようになっている。なお、当該図のほか図２や図３においても、ディスプレイの表示画面中に、今回表示された二重丸付文字とは別に「暑」及び「寒」の丸付文字が表示されている。これは、それぞれの位置において、前者であれば温度低下の要求が、後者であれば温度上昇の要求があり、それぞれの要求に沿った制御が行われていることを表している。これらの表示は、それぞれの温度変更要求の処理が為されている間、表示されるようになっている。
【００３６】
図６は、第１の実施形態の温度制御システムの全体構成図である。本温度制御システムは、大きく分けて、複数の端末装置１０、複数のエアコン２６、該エアコン２６に対応する複数の温度センサ４２、受信装置２９及び温度制御装置（環境条件制御装置）３０から構成される。複数の端末装置１０、複数のエアコン２６及び複数の温度センサ４２については既に説明したとおりである。
【００３７】
複数の端末装置１０の内の一つ（図２〜図５を用いて説明した端末装置１０）から受信装置２９へと、情報信号が送られる。本例において、受信装置２９は、テナント申告サーバ１１がその任を担っている。即ち、端末装置１０から発信された情報信号は、インターネット網及びルータ１３を介してテナント申告サーバ１１に送られる。なお、端末装置１０も何らかの装置（例えばルータ１４）やシステム（例えばＬＴＥ）を介してインターネット網と接続されているが、図１ではそれを省略している。
【００３８】
受信装置２９が受信した情報信号は、温度制御装置３０に送られる。本例において、温度制御装置３０は、最適制御サーバ１８がその任を担っている。即ち、受信装置２９から発信された情報信号は、ルータ１３、インターネット網及びルータ１４を介して最適制御サーバ１８に送られる。
【００３９】
図６に示すように、温度制御装置３０は、要求受付部３１、エアコン選択部（調整手段選択部）３２、現在温度取得部（現状条件取得部）３３及び温度制御部（環境条件制御部）３４から構成される。なお、この温度制御装置３０は、本発明の環境条件制御システムにおける環境条件処理装置の一例であると同時に、本発明の環境条件制御装置の一例でもある。
【００４０】
図７に、温度制御装置３０内で行われる処理のフロー図を示す。まず、要求受付部３１が温度変更要求と位置情報とからなる情報信号を受け付けて処理が開始する（ステップＳ１）［要求受付工程］。次にエアコン選択部３２が、受け付けた申告位置Ａの位置情報に対応するエアコンとして、図５に記載の対象エアコン２６ａ，２６ｂを選択する（ステップＳ２）［調整手段選択工程］。
【００４１】
エアコン選択部３２による対象エアコンの選択は、申告位置Ａとの距離、エアコンの風向、並びにパーティーション等の風の遮蔽物の配置等を考慮して予め定めた、室内における全ての位置と対象エアコンとの対応テーブルが、最適制御サーバ１８内の記憶装置に格納されており、この対応テーブルを参照して、申告位置Ａに対応するエアコン２６を選択するようになっている。
【００４２】
エアコン選択部３２としては、申告位置Ａから最も近いエアコン２６を自動的に選択するように構成されていてもよいし、原則そのように構成した上で、距離が大きく変わらないエアコン２６が複数ある場合には、その複数のエアコン２６を自動的に選択するように構成されていてもよい。
【００４３】
対象エアコン２６ａ，２６ｂが選択されると、この対象エアコン２６ａ，２６ｂに対して他の温度変更要求が既に受け付けられ処理中であるか否かが最先受付判断部（不図示）で判断される（ステップＳ３）。他の温度変更要求が既に受け付けられ処理中である場合（Ｙｅｓ）には、今回の要求は待機状態となり（ステップＳ１５）、他の温度変更要求に対する処理が終了した際にその通知を受けて、直ちにステップＳ３に戻る（ステップＳ１６）。
【００４４】
一方、他の温度変更要求が受け付けられていない場合（Ｎｏ）には、選択された対象エアコン２６ａ，２６ｂに対応する温度センサ４２が検知した現在温度Ｔ０と設定温度ＴＳを取得する（ステップＳ４）［現状条件取得工程］。なお、ここでいう「現在温度」とは、原則としては、要求を受け付けた時の温度であるが、室温は一般に不安定で揺らいでいて、１点のみで温度を判定すると実態から外れた値になってしまう場合がある。そのため、要求を受け付けた時を含む所定の時間内の測定結果の平均値を現在温度とすることが好ましい。例えば、要求を受け付けた時から５分間遡り、１分毎の測定値（計６回分）の平均値を現在温度Ｔ０とする。
【００４５】
次に、温度制御部３４が温度変更要求の種類を確認する（ステップＳ５）。そして、要求が「暑い」、即ち温度の低下である場合には、原則、現在温度Ｔ０から所定温度下げるように制御を行う。本例では、現在温度Ｔ０より０．５℃低い温度以下で、かつ、小数第一位が０または５となる最も高い温度を新たな設定温度Ｔｔとして設定する。しかし、設定温度ＴＳがそれ以上に低い場合には、そのままでもより低い温度へと対象エアコン２６ａ，２６ｂは温度を下げようとするため、新たな設定温度Ｔｔは設定温度ＴＳと同じとする。
【００４６】
即ち、ステップＳ６として、設定温度ＴＳが現在温度Ｔ０より０．５℃低い温度以下
（設定温度ＴＳ）≦（現在温度Ｔ０）−０．５℃  ・・・（１）
であるか否かを判断する。上記不等式（１）が成り立つ場合（Ｙｅｓ）には、新たな設定温度Ｔｔは、設定温度ＴＳと同じとする（ステップＳ８）。そして、温度制御の処理を終了する。
【００４７】
図５の状態において、対象エアコン２６ａ，２６ｂの設定温度ＴＳが何れも２４．０℃だとすると、対象エアコン２６ｂについては、現在温度Ｔ０が２５．２℃であるから０．５℃減じた右辺は２４．７℃となり、左辺の設定温度ＴＳ＝２４．０℃の方が低い温度となる。したがって、上記不等式（１）を満たし、新たな設定温度Ｔｔは、設定温度ＴＳと同じとし（ステップＳ８）、温度制御の処理を終了する。
【００４８】
それに対して、上記不等式（１）が成り立たない場合（Ｎｏ）には、現在温度Ｔ０より０．５℃低い温度以下で、かつ、小数第一位が０または５となる最も高い温度を新たな設定温度Ｔｔとして設定する（ステップＳ７）。図５の状態において、対象エアコン２６ａについては、現在温度Ｔ０が２４．４℃であるから０．５℃減じた右辺は２３．９℃となり、左辺の設定温度ＴＳ＝２４．０℃の方が高い温度となる。したがって、上記不等式（１）が成り立たず、２３．９℃以下の温度で、かつ、小数第一位が０または５となる最も高い温度、即ち２３．５℃を新たな設定温度Ｔｔとして対象エアコン２６ａを制御する（ステップＳ７）［環境条件制御工程］。
【００４９】
新たな設定温度Ｔｔになるまで対象エアコン２６ａを制御するには、エアコンの加熱あるいは冷却機能をＯＮ／ＯＦＦ制御することにより行う。そして、現在温度Ｔ０が新たな設定温度Ｔｔとほぼ同じになるまで処理を行う。Ｔ０≒Ｔｔとなったとき（ステップ１１でＹｅｓ）には、当該処理は終了する。一方、Ｔ０≒Ｔｔになっていない場合（ステップ１１でＮｏ）でも、最大限度時間（例えば６０分間）に達していれば（ステップ１２でＮｏ）、当該処理は終了する。勿論、最大限度時間に達していなければ（ステップ１２でＹｅｓ）、ステップ１１に戻る。
【００５０】
温度変更の処理が終了した際、対象エアコンについての他の温度変更の要求が待機状態であった場合には、その要求に対応する処理が開始される。このとき、待機している要求が複数ある場合には、要求受付部３１が受け付けた時間順に順次、温度変更の処理が開始される。
【００５１】
一方、ステップＳ５において確認された要求が、「寒い」、即ち温度の上昇である場合には、原則、現在温度Ｔ０から所定温度上げるように制御を行う。本例では温度上昇についても同様に、現在温度Ｔ０より０．５℃高い温度以上で、かつ、小数第一位が０または５となる最も低い温度を新たな設定温度Ｔｔとして設定するが、設定温度ＴＳがそれ以上に高い場合には、そのまま、新たな設定温度Ｔｔは設定温度ＴＳと同じとする。
【００５２】
即ち、ステップＳ９として、設定温度ＴＳが現在温度Ｔ０より０．５℃高い温度以上
（設定温度ＴＳ）≧（現在温度Ｔ０）＋０．５℃  ・・・（２）
であるか否かを判断する。上記不等式（２）が成り立つ場合（Ｙｅｓ）には、新たな設定温度Ｔｔは、設定温度ＴＳと同じとする（ステップＳ８）。そして、温度制御の処理が終了する。
【００５３】
それに対して、上記不等式（２）が成り立たない場合（Ｎｏ）には、現在温度Ｔ０より０．５℃高い温度以上で、かつ、小数第一位が０または５となる最も低い温度を新たな設定温度Ｔｔとして対象エアコン２６を制御する（ステップＳ１０）［環境条件制御工程］。
【００５４】
その後、現在温度Ｔ０が新たな設定温度Ｔｔとほぼ同じになるまで処理を行う。Ｔ０≒Ｔｔとなったとき（ステップ１３でＹｅｓ）には、当該処理は終了する。一方、Ｔ０≒Ｔｔになっていない場合（ステップ１３でＮｏ）でも、最大限度時間（例えば６０分間）に達していれば（ステップ１４でＮｏ）、当該処理は終了する。勿論、最大限度時間に達していなければ（ステップ１４でＹｅｓ）、ステップ１３に戻る。
【００５５】
温度変更の処理が終了した際、対象エアコンについての他の温度変更の要求が待機状態であった場合には、その要求に対応する処理が開始される。このとき、待機している要求が複数ある場合には、要求受付部３１が受け付けた時間順に順次、温度変更の処理が開始される。
【００５６】
以上のように、第１の実施形態によれば、在席者が各自の端末装置１０で温度変更要求をすることができる。その際、現在温度を基準に温度の変更幅を制御するので、在席者の体感に合った温度制御が可能になるとともに、設定温度を各自が変更してしまうことによる弊害がない。このとき、端末装置１０のディスプレイ上で、エアコン２６の設定温度ではなく現在温度のみを確認できるため、在席者は設定温度を変更したいとの欲求を生じることがない。よって、徒に設定温度を上げ下げすることがないため、極端なあるいは無駄な温度変更を抑制することができる。
【００５７】
なお、本実施形態では、要求受付部３１が受け付けた全ての温度変更要求の情報を、それぞれの位置情報とともに、全ての端末装置１０に送信する要求情報送信部を備えている（不図示）。これにより、既述の如く、ディスプレイの表示画面中に本人及び他者の温度変更要求の内容が表示されるようになっている。
【００５８】
よって、在席者の位置に近い領域の他の温度変更要求の状態が、端末装置１０のディスプレイ上で確認できるため、自らの体感（温冷感）とは異なる温度設定になっている場合でも、その理由を自身で推察することができる。なお、本実施形態では、温度変更要求の処理が為されている間、これらが表示されるようになっている。
【００５９】
本実施形態では、対象エアコン２６ａ，２６ｂが既に起動している場合を例に挙げて説明したが、例えばエアコン２６ｃのように停止しているエアコンが対象になる場合には、当該エアコン２６ｃを起動させ、予め定められた設定温度を現在設定温度Ｔｓとする。
【００６０】
温度変更の処理が終了し、エアコンの初期の設定温度とは異なる設定温度となった場合には、時間をかけて（例えば、１℃当たり６０分）徐々に所定の許容温度範囲に戻すように制御することも、省エネルギーの観点から好ましいものである。
【００６１】
［第２の実施形態］
図８は、第２の実施形態の照度制御システム（環境条件制御システム）において、在席者が使用する端末装置１０のディスプレイに表示される表示画面であり、在席者が照度変更要求の作業をする前の状態の表示画面の一例である。当該表示画面は、在席者が在席する居室の見取り図となっている。図８においては、第１の実施形態の図２とは異なり、照明器具２５の位置の表示はしていない。ただし、照明器具２５による調整区画（照明区画３５）の主要領域に色彩を付してあり、付された色彩の相違により、当該照明区画３５周辺の照度の状況が視覚的にすぐ把握できるようになっている。図面中では白黒表示となっているが、実際には、照明器具２５が備える照度センサ（検知手段）４３の値が高いとき（例えば７００ルクス以上）には暖色系（赤等）の、低いとき（例えば４００ルクス以下）には寒色系（青等）の、その間の温度領域では中間色系（黄等）の、それぞれ色彩表示になるようになっている。
【００６２】
照明器具２５が備える照度センサ４３の実際の値は、色彩が付された領域の上方に表示されている。下方には、照明器具２５の照明出力（調光率）がパーセント単位で表示されている。
端末装置１０のディスプレイに、現在地表示が表示される点は、第１の実施形態と同様である。
【００６３】
照明器具２５には、その照明区画３５の照度を計測できる照度センサ４３が紐付けられている。以下の説明において、個々の照明区画３５に紐付けられた照度センサを「対応する照度センサ」と称することにする。
【００６４】
在席者が暗く感じて、その在席者が照度変更要求をする場面について説明する。
在席者が、照度変更要求の申告をしたい位置を選択する方法（変更、選択、同意）については、第１の実施形態と同様である。
【００６５】
図９に示すように、申告位置Ａをタップすると、表示画面には、要求選択画面４２が表示される。要求選択画面４２には、「明るく」「暗く」「申告取消」「戻る」の各ボタンが表示されている。そこで在席者は、「明るく」のボタンをタップして、照度を上げる要求を選択する。すると、要求選択画面４２が消えて、代わりに確認画面が表示される（不図示）。さらに在席者は、「はい」のボタンを選択して、照度変更要求の内容を確定し、作業を終了する。端末装置１０は、照度を上げる要求を照度変更要求として、確定した申告位置Ａの位置情報とともに申告情報とし、これを情報信号として生成する。
【００６６】
図１０は、照度変更要求の内容を確定した後のディスプレイの表示画面である。二重丸で示されていた申告位置Ａに「明」の二重丸付文字が表示され、照度上昇の制御に移ったことがわかるようになっている。
【００６７】
図１１は、第２の実施形態の照度制御システムの全体構成図である。本照度制御システムは、大きく分けて、複数の端末装置１０、複数の照明器具２５、該照明器具２５の照明区画に対応する照度センサ４３、受信装置２９及び照度制御装置（環境条件制御装置）４０から構成される。複数の端末装置１０、複数の照明器具２５及び複数の照度センサ４３については既に説明したとおりである。また、受信装置２９は、第１の実施形態で説明したものと同様である。
【００６８】
受信装置２９が受信した情報信号は、照度制御装置４０に送られる。本例において、照度制御装置４０は、最適制御サーバ１８がその任を担っている。即ち、受信装置２９から発信された情報信号は、ルータ１３、インターネット網及びルータ１４を介して最適制御サーバ１８に送られる。
【００６９】
図１１に示すように、照度制御装置４０は、要求受付部３６、照明器具選択部（調整手段選択部）３７、現在照度取得部（現状条件取得部）３８及び照度制御部（環境条件制御部）３９から構成される。なお、この照度制御装置４０は、本発明の環境条件制御システムにおける環境条件処理装置の一例であると同時に、本発明の環境条件制御装置の一例でもある。
【００７０】
図１２に、照度制御装置４０内で行われる処理のフロー図を示す。まず、要求受付部３６が照度変更要求と位置情報とからなる情報信号を受け付けて処理が開始する（ステップＳ１）［要求受付工程］。次に照明器具選択部３７が、受け付けた申告位置Ａの位置情報に対応する照明器具として、図１０に記載の照明区画３５ａに対応する照明器具（「対象照明器具３５ａ」と表記する。）を選択する（ステップＳ２）［調整手段選択工程］。
【００７１】
照明器具選択部３７による対象照明器具の選択は、申告位置Ａとの距離、並びにパーティーション等の光の遮蔽物の配置等を考慮して予め定めた、室内における全ての位置と対象照明器具との対応テーブルが、最適制御サーバ１８内の記憶装置に格納されており、この対応テーブルを参照して、申告位置Ａに対応する照明器具２５を選択するようになっている。
【００７２】
照明器具選択部３７としては、その都度申告位置Ａから最も近い照明区画の照明器具２５を選択するように構成されていてもよいし、原則そのように構成した上で、距離が大きく変わらない照明区画が複数ある場合には、その複数の照明区画の照明器具２５を選択するように構成されていてもよい。
【００７３】
対象照明器具３５ａが選択されると、この対象照明器具３５ａに対して他の照度変更要求が既に受け付けられ処理中であるか否かが最先受付判断部（不図示）で判断される（ステップＳ３）。他の照度変更要求が既に受け付けられ処理中である場合（Ｙｅｓ）には、今回の要求は直ちにキャンセルされ、照度制御の処理が終了する。
【００７４】
一方、他の照度変更要求が受け付けられていない場合（Ｎｏ）には、選択された照明区画３５の検知部が検知した現在照度Ｂ０（＝５００ルクス）を取得する（ステップＳ４）［現状条件取得工程］。
【００７５】
次に、照度制御部３９が照度変更要求の種類を確認する（ステップＳ５）。そして、要求が「明るく」、即ち照度の上昇である場合には、現在照度Ｂ０から所定照度上げるように制御を行う。本例では、現在照度Ｂ０よりも１００ルクス高い６００ルクスを新たな設定照度Ｂｔとして設定する（ステップＳ６）［環境条件制御工程］。
【００７６】
一方、本例とは逆に要求が「暗く」、即ち照度の低下である場合には、現在照度Ｂ０から所定照度下げるように制御を行う。本例では、現在照度Ｂ０よりも１００ルクス低い４００ルクスを新たな設定照度Ｂｔとして設定する（ステップＳ７）［環境条件制御工程］。
【００７７】
新たな設定照度Ｂｔになるまで対象照明器具３５ａを制御するには、照明出力（調光率）を増減させることによって行う。本例では、対象照明器具３５ａの照明出力（調光率）は３０％なので、例えば４０％に上げてその結果を見てさらに適切な照明出力（調光率）を増減させる。この際の制御には、照明区画３５の照度センサ４３の検知結果に基づいて、フィードバック制御が為される。
【００７８】
その後、新たな設定照度Ｂｔになるまでの時間は、温度変更の場合とは異なり、ほとんどかからず、不安定にもなり難い。よって、新たな設定照度Ｂｔ達成までの時間を多く取らなくてよいため、必要に応じて、短めの所定の時間、制御を維持すればよい。本例では、制御開始後、直ちに設定照度へと変化するため、すぐに照度変更の処理を終了する。
【００７９】
以上のように、第２の実施形態によれば、在席者が各自の端末装置１０で照度変更要求をすることができる。その際、現在照度を基準に照度の変更幅を制御するので、在席者の体感に合った照度制御が可能になる。
【００８０】
なお、本実施形態においても、要求受付部３６が受け付けた全ての照度変更要求の情報を、それぞれの位置情報とともに、全ての端末装置１０に送信する要求情報送信部を備えている（不図示）。これにより、ディスプレイの表示画面中に本人及び他者の照度変更要求の内容が表示されるようになっている。
【００８１】
よって、在席者の位置に近い領域の他の照度変更要求の状態が、端末装置１０のディスプレイ上で確認できるため、自らの体感（明るさ感）とは異なる照度設定になっている場合でも、その理由を自身で推察することができる。
【００８２】
本実施形態では、対象照明器具３６ａが既に点灯している場合を例に挙げて説明したが、消灯している照明器具が対象になる場合には、当該照明器具を点灯させる。
【００８３】
照度変更の処理が終了し、予め設定された照明器具の照度とは異なった設定照度となった場合には、所定時間経過後（例えば６０分後）に、元の設定照度に戻すように制御することが、省エネルギーや快適感維持の点で好ましい。
【００８４】
以上、本発明の環境条件制御装置、環境条件制御方法及び環境条件制御システムについて、好ましい実施形態を挙げて説明したが、本発明は上記実施形態の構成に限定されるものではない。
【００８５】
また、温度、照度等の各種条件も、上記実施形態に挙げられたものはあくまでも例示であり、上記実施形態に限定されるものではなく、実際の現場の状況に応じて、適切に設計することができる。
【００８６】
さらに、上記実施形態では、環境条件として「温度」「照度（明るさ）」、環境条件調整手段として「空調機」「照明器具」を例に挙げたが、本発明はこれに限定されるものではない。
【００８７】
その他、当業者は、従来公知の知見に従い、本発明の環境条件制御装置、環境条件制御方法  及び環境条件制御システムを適宜改変することができる。かかる改変によってもなお本発明の構成を具備する限り、勿論、本発明の範疇に含まれるものである。
【符号の説明】
【００８８】
１０：端末装置
１１：テナント申告サーバ（受信装置）
１８：最適制御サーバ（環境条件制御装置）
２５：照明器具（環境条件調整手段）
２６：エアコン（空調機、環境条件調整手段）
２９：受信装置
３０：温度制御装置
３１：要求受付部
３２：エアコン選択部（調整手段選択部）
３３：現在温度取得部（現状条件取得部）
３４：温度制御部（環境条件制御部）
４２：温度センサ（検知手段）
４３：照度センサ（検知手段）
【図１】
2019207050.tif 000003
【図２】
2019207050.tif 000004
【図３】
2019207050.tif 000005
【図４】
2019207050.tif 000006
【図５】
2019207050.tif 000007
【図６】
2019207050.tif 000008
【図７】
2019207050.tif 000009
【図８】
2019207050.tif 000010
【図９】
2019207050.tif 000011
【図１０】
2019207050.tif 000012
【図１１】
2019207050.tif 000013
【図１２】
2019207050.tif 000014